(57)【特許請求の範囲】
【請求項１】
前身頃、後身頃及びこれら両者間に位置する股下部からなり、吸収性物品が固定されて着用される生理用ショーツにおいて、前記股下部に、又は前記後身頃における前記股下部寄りの位置に、身体中心線に対して対称に、前記吸収性物品の形状を変形させるに足る立体形状を有する立体片が一又は二以上取り付けられており、
前記股下部又は前記後身頃における前記立体片が取り付けられている位置に、前記ショーツの前後方向へ延びる伸縮部材が取り付けられている生理用ショーツ。
【請求項２】
前記立体片はその最も厚い部分での厚みが５ｍｍ以上であり、着用者の排泄部又は臀部の形状にフィットする立体形状を有している請求項１記載の生理用ショーツ。
【請求項３】
前記伸縮部材が、前記立体片よりもショーツ外面側の位置に取り付けられている請求項１又は２記載の生理用ショーツ。
【請求項４】
前身頃、後身頃及びこれら両者間に位置する股下部からなり、吸収性物品が固定されて着用される生理用ショーツにおいて、前記股下部に、又は前記後身頃における前記股下部寄りの位置に、身体中心線に対して対称に、前記吸収性物品の形状を変形させるに足る立体形状を有する立体片が一又は二以上取り付けられており、
前記股下部又は前記後身頃における前記立体片が取り付けられている位置に、前記ショーツの前後方向へ延びる非伸縮部材が取り付けられているか、又は前記股下部若しくは前記後身頃の構成布よりも伸縮性が低く且つ前記ショーツの前後方向へ延びる低伸縮部材が取り付けられている生理用ショーツ。
【発明の詳細な説明】
【０００１】
【発明の属する技術分野】
本発明は、生理用ナプキンやパンティライナなどの吸収性物品が固定されて着用される生理用ショーツに関する。
【０００２】
【従来の技術及び発明が解決しようとする課題】
本出願人は先に特許第２７４４０６０号明細書において、身生地より剛性が大で、幅が１〜４ｃｍの保持部を股下部に設けた生理用ショーツを提案した。この保持部は、身体中央に対して対称位置に分割して離反して設けられ、その幅が０．５〜２ｃｍのものである。この生理用ショーツによれば、ナプキンの保持安定性に優れ、ナプキンのずれやよれの発生が防止される。
【０００３】
特開平9−１７３３８３号公報には、股下部の内側に保持布片を設け、更に該保持布片の裏側で且つナプキンのウイングを折り返した時に当接する部分に補強片を設けた生理用ショーツが記載されている。この生理用ショーツは、ナプキンをショーツ股下部分の所定の位置に確実に保持させることを目的としている。
【０００４】
しかし、これらのショーツは何れも、ショーツにナプキンを取り付ける時あるいは取り付けた後の安定性の向上を目的とするものであり、ショーツに取り付けられたナプキンの身体へのフィット性については考慮されていない。
【０００５】
従って、本発明は、ショーツに取り付けられた状態での吸収性物品のフィット性が向上した生理用ショーツを提供することを目的とする。
【０００６】
【課題を解決するための手段】
本発明は、前身頃、後身頃及びこれら両者間に位置する股下部からなり、吸収性物品が固定されて着用される生理用ショーツにおいて、前記股下部に、又は前記後身頃における前記股下部寄りの位置に、身体中心線に対して対称に、前記吸収性物品の形状を変形させるに足る立体形状を有する立体片が一又は二以上取り付けられており、
前記股下部又は前記後身頃における前記立体片が取り付けられている位置に、前記ショーツの前後方向へ延びる伸縮部材が取り付けられている生理用ショーツを提供することにより前記目的を達成したものである。
また本発明は、前身頃、後身頃及びこれら両者間に位置する股下部からなり、吸収性物品が固定されて着用される生理用ショーツにおいて、前記股下部に、又は前記後身頃における前記股下部寄りの位置に、身体中心線に対して対称に、前記吸収性物品の形状を変形させるに足る立体形状を有する立体片が一又は二以上取り付けられており、
前記股下部又は前記後身頃における前記立体片が取り付けられている位置に、前記ショーツの前後方向へ延びる非伸縮部材が取り付けられているか、又は前記股下部若しくは前記後身頃の構成布よりも伸縮性が低く且つ前記ショーツの前後方向へ延びる低伸縮部材が取り付けられている生理用ショーツを提供することにより前記目的を達成したものである。
【０００７】
【発明の実施の形態】
以下本発明を、その好ましい実施形態に基づき図面を参照しながら説明する。図１には、本発明の生理用ショーツの一実施形態の斜視図が示されている。また、図２には、図１に示すショーツを展開して内側から見た平面図が示されている。図３には、図２におけるIII−III線断面図が示されている。尚、図２においては、上側が前見頃側を表し、下側が後見頃側を表す。
【０００８】
本実施形態の生理用ショーツ１は、生理用ナプキンやパンティライナなどの吸収性物品が固定されて着用されるものであり、前身頃２、後身頃３、及び前身頃２と後見頃３との間に位置する股下部４からなる。前身頃２及び後見頃３は何れも一枚の布から構成されている。一方、股下部４は、ショーツ１の外面側に位置する外側股下布５と、内面側に位置する内側股下布６との２枚重ねとなっている。布は互いに縫合されてショーツ１を構成している。各布は、肌触りが良く、通気性及び吸湿性が高いことが好ましく、この点から綿を主体とする素材から構成されていることが好ましい。また各布は縦横方向に伸縮性を有していることが、着用者の身体とのフィット性を高める点から好ましく、この点からポリウレタン繊維等のエラストマー繊維を少量含んでいることが好ましい。
【０００９】
外側股下布５と内側股下布６とは同形をしており、それらの左右両側縁が互いに縫合されている。内側股下布６における外側股下布対向面には、防水処理が施されている。例えばシリコン系やフッ素系の撥水剤で処理したり、ポリフッ化エチレン、有孔性ポリウレタン、無孔性ポリウレタン、無孔性ポリエチレン等の材料からなる撥水性のシートを複合化することで防水処理を施すことができる。
【００１０】
図１及び図２に示すように股下部４には、厚みのある立体片７が配置されている。立体片７は図３に示すように外側股下布５と内側股下布６との間に配置されている。立体片７は、縫合糸１０による縫い合わせによって内側股下布６に固着されている。立体片７はショーツ１における身体中心線８に沿って配置されている。
【００１１】
図４には立体片７の斜視図が示されている。立体片７は、底辺Ａに対して斜辺の長さＢが極めて長い二等辺三角形を底面とする、扁平な三角錐の形状をしている。且つ該三角錐の３つの側面Ｓ1、Ｓ2、Ｓ3のうち、底面である二等辺三角形の底辺Ａを含む側面Ｓ1が、凹曲面状に湾曲形成されている。立体片７は、側面Ｓ1の側が前方向となるように、ショーツ１の股下部４に配置される。立体片７は、全体として細長い形状となっており、後ろ側へ向かうに連れ細くなっている。立体片７は前述の通り厚みのあるものであり、その最も厚い部分での厚みは好ましくは５ｍｍ以上、更に好ましくは５〜１５ｍｍ、一層好ましくは７〜１０ｍｍとなっている。立体片７は、その縦中心線に対して対称形状となっている。立体片７のこのような形状は、該立体片７がショーツ１の股下部４に配置されたときに、着用者の排泄部の形状にフィットする立体形状である。また、ショーツ１に固定された吸収性物品の形状を変形させるに足る立体形状でもある。
【００１２】
立体片７の厚みは次の方法で測定される。立体片７を、その最も厚い部分が存する位置で縦に切断する。ＳＯＮＹ製ＣＣＤカメラ（ＣＣＤ−ＩＲＩＳ）が接続されたＯＬＹＭＰＵＳ製の実体顕微鏡ＳＺＨ１０を用い、切断面の像を撮影する。撮影された像を、ＳＯＮＹ製ビデオプリンター（ＵＰ−５１００Ａ）にて出力し、出力された像から立体片７の厚みを測定する。
【００１３】
立体片７がこのような立体形状であることによって、図５に示すように、ショーツ１にナプキンＮのような吸収性物品を固定して該ショーツ１を着用したときに、立体片７がナプキンＮの形状を、着用者Ｗの身体形状に合致するように変形させる。具体的には、ナプキンＮは、その縦中心線に沿って、肌対向面側が凸状に湾曲する。これによって、ナプキンＮと着用者Ｗの身体とのフィット性が向上し、漏れが効果的に防止される。吸収性物品の種類によっては、初めからその肌対向面側に立体形状が形成されていて、着用者の身体とのフィット性を向上させるようにしたものもあるが、そのような吸収性物品は構造が複雑であり、価格が高いものとなりがちである。これに対して、本発明のショーツを用いれば、価格が高くない、肌対向面側が平坦な構造の吸収性物品を用いても、立体形状が形成されている吸収性物品と同様のフィット性を実現できるという利点がある。
【００１４】
立体片７は、ショーツ１の着用中における着用者の体圧に抗して潰れない程度の剛性を有していることが好ましい。また、立体片７はショーツ内に取り付けられるものだから、軽量で且つ風合いが良好であることが好ましい。これらの観点から、立体片７は、発泡体、各種織地、不織布、合成樹脂などから構成されていることが好ましい。
【００１５】
図２及び図３に示すように、股下部４における立体片７が取り付けられている位置には、ショーツ１の前後方向へ延びる伸縮部材９が取り付けられている。伸縮部材９は、細幅の帯状の形状をしており、股下部４の前端から後端にまで延びている。伸縮部材９は、非伸張状態で取り付けられている。伸縮部材９は、立体片７よりもショーツ外面側の位置に取り付けられている。具体的には、伸縮部材９は、立体片７と外側股下布５の間に配置され、外側股下布５に縫い合わせによって固定されている。このような構成により、伸縮部材９が配置された部位においては、ショーツ着用中に股下部４が長手方向に引き伸ばされると、これに追随して伸縮部材９も引き伸ばされる。また立体片７の変形に起因しても伸縮部材９は引き伸ばされる。引き伸ばされた伸縮部材９には収縮しようとする力が働くので、立体片７が着用者の身体方向に見掛け上押し上げられる。これに伴いナプキンＮが着用者の身体側に向けて凸状に変形し、ナプキンＮの身体へのフィット性が一層高まる。このように、立体片７が伸縮部材９よりも着用者の身体側に配されていると、ナプキンＮが身体に一層フィットし易くなる。また立体片７が内側股下布６に固定されていると、該立体片７がショーツ着用中にズレにくくなり安定的にナプキンＮが身体にフィットする。その上、伸縮部材９の収縮効果が十分に立体片７に伝わるようになる。更に、立体片７を内側股下布６に固定することは加工性の点からも有利である。
【００１６】
伸縮部材９は、ポリウレタンやスチレン系エラストマーからなるフィルムや不織布などから構成されている。伸縮部材９は、その伸張応力が５０％伸張状態において、１００ｃＮ以下程度のものが好適に用いられる。伸縮部材９は、前述の通り非伸張状態で固定されているが、これに代えて伸張状態で固定されていても良い。その場合には１００％以下程度の伸張状態で固着することが好ましい。
【００１７】
本実施形態においては、前述した伸縮部材９に代えて、非伸縮部材を取り付けてもよい。或いは股下部の構成布、即ち外側股下布５及び内側股下布６よりも伸縮性の低い低伸縮部材を取り付けてもよい。これら非伸縮部材又は低伸縮部材を、立体片７が取り付けられている部位に取り付けることで、ショーツ着用中に、立体片７がショーツ外面側へ突き出ることが防止されて、立体片７が着用者の身体側に押し付けられる。その結果、ナプキンＮが変形し易くなり、ナプキンＮの身体へのフィット性が一層高まる。
【００１８】
本実施形態のショーツ１は、図３に示す構成に代えて、図６に示す構成とすることもできる。図６に示す構成のショーツにおいては、伸縮部材９が２本用いられている。各伸縮部材９は、立体片７の左右両側部に、該立体片７の長手方向に沿って配されている。そして、内側股下布６と立体片７と伸縮部材９とは、縫合糸１０による縫い合わせで一体的に固定されている。図６に示す構成では、伸縮部材９は、その立体片７と固定されている部分において収縮効果が若干弱くなる。しかし、伸縮部材９と立体片７との位置が固定されるので、ショーツ着用中にナプキンのズレが一層起こりにくくなり安定的にナプキンＮが身体にフィットする。特に伸縮部材９を２本用いることで、伸縮部材９と立体片７との固定、ひいてはナプキンのズレ防止を一層確実に行える。伸縮部材９を２本用いることは、伸縮部材９を保形片７に固定することに起因する収縮効果の低下を補う点からも有利である。
【００１９】
また本実施形態においては、図４に示す立体片に代えて図７に示す立体片を用いることもできる。図７に示す立体片７は、厚みのある扁平な四角錐の形状をしている。四角錐の底面は、底辺が同じ長さで且つ斜辺が異なる長さである２つの二等辺三角形の該底辺同士を突き合わせた形状の四角形となっている。つまり、四角錐の底面は、図７に示すように、長さＡの辺が２つと、辺Ａよりも長さの短い２つの辺Ｂとからなる。立体片７は、２つの辺Ａの位置する側が前方向となるように、ショーツ１の股下部４に配置される。立体片７は、全体として細長い形状となっている。図７に示す立体片７の形状も、図４に示す立体片の形状と同様に、該立体片７がショーツ１の股下部４に配置されたときに、着用者の排泄部の形状にフィットする立体形状である。また、ショーツ１に固定された吸収性物品の形状を変形させるに足る立体形状でもある。
【００２０】
次に、本発明の第２〜第４の実施形態について図８〜図１０を参照して説明する。これらの実施形態については、先に述べた実施形態と異なる点についてのみ説明し、特に説明しない点については、先に述べた実施形態に関して詳述した説明が適宜適用される。また、図８〜図１０において、図１〜図７と同じ部材に同じ符号を付してある。
【００２１】
図８及び図９に示す第２の実施形態の生理用ショーツ１においては、股下部４に一対の立体片７Ａ，７Ｂが配置されている。各立体片７Ａ，７Ｂは同形である。各立体片７Ａ，７Ｂは、図９に示すように外側股下布５と内側股下布６との間に配置されている。各立体片７Ａ，７Ｂは、その周囲の位置において、外側股下布５と内側股下布６とが縫合糸１０で縫い合わされることで固定されている。つまり、外側股下布５と内側股下布６とが縫い合わされて両者間に形成された空間に、各立体片７Ａ，７Ｂが保持固定されている。このような固定方法は、立体片の形状が複雑である場合に特に有利である。各立体片７Ａ，７Ｂは、股下部４の側縁に沿って且つ身体中心線８に対して対称に配置されている。
【００２２】
各立体片７Ａ，７Ｂは、厚みのある細長い三日月形状をしている。各立体片７Ａ，７Ｂは、一対で用いられたときに、着用者の排泄部の両側にそれぞれ位置してフィットする形状となっている。また、ショーツ１に固定された吸収性物品の形状を変形させるに足る立体形状でもある。立体片７Ａ，７Ｂがこのような立体形状であることによって、ショーツ１にナプキンを固定して該ショーツ１を着用したときに、立体片７Ａ，７Ｂがナプキンの形状を、着用者の身体形状に合致するように変形させる。具体的には、ナプキンは、その縦中心線に沿って、肌対向面側が凹状に湾曲して、着用者の排泄部位を包み込むような形状となる。本実施形態によってもナプキンと着用者の身体とのフィット性が向上し、漏れが効果的に防止される。
【００２３】
本実施形態のショーツ１においても、股下部４における立体片７Ａ，７Ｂが取り付けられている位置には、ショーツ１の前後方向へ延びる一対の伸縮部材９Ａ，９Ｂがそれぞれ取り付けられている。各伸縮部材９Ａ，９Ｂは、股下部４の前端から後端にまで延びている。各伸縮部材９Ａ，９Ｂは、非伸張状態で取り付けられている。伸縮部材９Ａ，９Ｂは、第１の実施形態と異なり、外側股下布５の外面に配置されており、外側股下布５に縫い合わせで固定されている。第１の実施形態と同様に本実施形態のショーツ１においても、伸縮部材９Ａ，９Ｂの収縮作用によって、立体片７Ａ，７Ｂが着用者の身体側に押し上げられ、ナプキンの変形が助長され、ナプキンの身体へのフィット性が一層高まる。
【００２４】
図１０（ａ）及び図１０（ｂ）に示す第３及び第４の実施形態の生理用ショーツ１においては、これまで説明した実施形態のショーツと異なり、立体片が後身頃３における股下部４寄りの位置に配置されている。図１０（ａ）に示す第３の実施形態においては１個の立体片７が、一方図１０（ｂ）に示す第４の実施形態においては２個の立体片７Ａ，７Ｂが配置されている。両実施形態においても後見頃３は二重の布から構成されており、立体片は２枚の布の間に配置されている。また立体片は内側の布に縫い合わせによって固定されている。また立体片は身体中心線８に沿って配置されている。
【００２５】
図１０（ａ）に示す第３の実施形態においては、立体片７は銀杏葉を逆にした形状に類似の形状をしている。一方図１０（ｂ）に示す第４の実施形態においては、立体片７Ａ，７Ｂは同形であり何れも「ヘ」字形をしている。これらの立体片のこのような形状は、該立体片がショーツ１の後見頃部３に配置されたときに、着用者の臀部の形状にフィットする立体形状である。また、ショーツ１に固定された吸収性物品の形状を変形させるに足る立体形状でもある。
【００２６】
両実施形態においては、後身頃部３における立体片が取り付けられている位置には、ショーツ１の前後方向へ延びる伸縮部材９が取り付けられている。伸縮部材９は、外側股下布５の外面に配置されており、外側股下布５に縫い合わされている。伸縮部材９の伸縮作用によって、ショーツ１における立体片及び伸縮部材９が取り付けられている部位は、立体片が着用者の身体側に押し上げられてナプキンが一層変形し、ナプキンの身体へのフィット性が一層高まる。
【００２７】
本発明は前記実施形態に制限されない。例えば前述の各実施形態においては立体片は内側の布に固着されていたが、これに代えて立体片を外側の布に固着してもよく、或いは内側及び外側の布の双方に固着してもよい。固定の方法は縫い合わせに限られず、例えば接着剤を用いた接着でもよい。また第１、第３及び第４の実施形態においては、第２の実施形態と同様に、立体片の周囲の位置において内側股下布と外側股下布とを縫い合わせることで、立体片を固定してもよい。
【００２８】
また伸縮部材９の固定手段も縫い合わせに限られず、接着剤を用いた接着などの他の固定手段を用いてもよい。
【００２９】
また立体片の立体形状は前述のものに限られず、吸収性物品を、着用者の身体にフィットさせるように変形させられる形状であれば如何なる形状であってもよい。
【００３０】
また、本発明のショーツに固定される吸収性物品としては、生理用ナプキンが典型的であるが、その他の吸収性物品、例えばパンティライナや失禁パッドなどであってもよい。これらの吸収性物品は、ショーツ固定用のウイング部を有するものであってもよい。
【００３１】
【発明の効果】
本発明の生理用ショーツによれば、ショーツに取り付けられた状態での吸収性物品のフィット性が向上する。従って、本発明の生理用ショーツによれば、価格が高くない、肌対向面側が平坦な構造の吸収性物品を用いても、肌対向面側に立体形状が形成されている比較的高価な吸収性物品と同様のフィット性を実現できる。
【図面の簡単な説明】
【図１】本発明の生理用ショーツの一実施形態を示す斜視図である。
【図２】図１に示すショーツを展開して内側から見た状態を示す平面図である。
【図３】図２におけるIII−III線断面図である。
【図４】立体片の一例を示す斜視図である。
【図５】図１に示すショーツに生理用ナプキンを固定して着用した状態を示す図である。
【図６】図１に示すショーツの別の構成を示す断面図（図３相当図）である。
【図７】立体片の別の例を示す斜視図である。
【図８】本発明の生理用ショーツの第２の実施形態を展開して内側から見た状態を示す平面図（図２相当図）である。
【図９】図８におけるIX−IX線断面図である。
【図１０】本発明の生理用ショーツの第３及び第４の実施形態を展開して内側から見た状態を示す平面図（図２相当図）である。
【符号の説明】
１  生理用ショーツ
２  前見頃
３  後見頃
４  股下部
５  外側股下布
６  内側股下布
７  立体片
９  伸縮部材
【図１】
0003986302.tif 000002
【図２】
0003986302.tif 000003
【図３】
0003986302.tif 000004
【図４】
0003986302.tif 000005
【図５】
0003986302.tif 000006
【図６】
0003986302.tif 000007
【図７】
0003986302.tif 000008
【図８】
0003986302.tif 000009
【図９】
0003986302.tif 000010
【図１０】
0003986302.tif 000011